(57)【要約】【課題】従来、特に高齢者を対象とし２つに分割した背もたれを上下に移動させて患者にフィットさせるように調整できる歯科用治療椅子があるが、特殊仕様で一般性がなくまた調整は手動で面倒であったため、患者の体型に合わせ背もたれの位置を自由に調節できるエアバックを備えた治療椅子を提供する。【解決手段】椅子の背もたれの内部に前方向に伸縮性を持つ複数の膨張縮小自在のエアバックを複数の区画内に配設し、該エアバックに連結されたチューブを各個別に制御する開閉電磁弁を有するエア分配器と、そのリモート操作ボックスを備えてなる。【選択図】図１
2005270212.tif 000002
【特許請求の範囲】
【請求項１】
内側に空隙を有する湾曲した背もたれの背面板と、該背面板に配設された背板とクッション材とその前面カバーを備えた歯科用治療椅子において、
前記クッション材とカバーとの間に、複数の膨張縮小自在のエアバックを左右及び上中下の区画内に配設してなり、
前記複数のエアバックは、一隅に固設されたエアチューブと、該チューブの延長先に接続されるエア導入用の開閉電磁弁及び逆止弁と、排気用の開閉電磁弁を有し、
さらに、前記背もたれの背面板下部の空隙内に配設された前記、幹線エアチューブ及び分岐エアチューブと、開閉電磁弁及び逆止弁と、排気用の開閉電磁弁と、制御用信号線を収納するエア分配器と、
前記複数のエアバックに接続されている開閉電磁弁を個々に制御する複数の操作スイッチと、幹線の開閉電磁弁の操作スイッチを収納する操作ボックスを備えてなり、
前記エア導入調整用の開閉電磁弁の片側はエアチューブの幹線に並列に接続されて、前記エア分配器の一端より導出され、
さらに前記エアチューブの幹線は、幹線用開閉電磁弁を経由して歯科用治療椅子のエア供給部に接続され、
また、前記制御用信号線は多芯ケーブルでエアの分配器の１端から導出され、操作ボックスに接続されてなることを特徴とする歯科用治療椅子。
【請求項２】
背もたれにエアバックを備えた歯科用治療椅子において、
操作ボックスの複数の操作スイッチを個々に操作することにより、対応する各エアバックを膨張又は縮小させ、患者に合わせて当接する背もたれの各部分を調節することができることを特徴とする請求項１に記載の歯科用治療椅子。
【請求項３】
背もたれにエアバックを備えた歯科用治療椅子において、
エアバックを調節する動力源が歯科用治療椅子に常設されているエアであることを
特徴とする請求項１又は２に記載の歯科用治療椅子。
【発明の詳細な説明】
【技術分野】
【０００１】
歯科用治療椅子に係り、特に患者の体型に合わせて背もたれのフィットする位置が自由に調節できるエアバックに関する。
【背景技術】
【０００２】
従来、特に高齢者を対象とし２つに分割した背もたれを上下に移動させて、
患者にフィットさせるように調整できる歯科用治療椅子が開示されている。
【非特許文献１】９８’モリタ機器総合カタログ９頁（ＤＥＮＴＡＬ  ＥＱＵＩＰＭＥＮＴ）ＣＨＡＩＲ−ＵＮＩＴ  シグノ  ＧＲ  Ｓ２１（平成１０年９月、株式会社モリタ発行）
【発明の開示】
【発明が解決しようとする課題】
【０００３】
しかし、前記歯科用治療椅子は、特殊仕様で用途が限定され一般性がなく、かつ調整は手動のため面倒であった。また背もたれ各部の左右傾斜の設定はできなかった。
【課題を解決するための手段】
【０００４】
上記に鑑み本発明者等は鋭意実験研究の結果、次の手段によりこの課題を解決した。
（１）内側に空隙を有する湾曲した背もたれの背面板と、該背面板に配設された背板とクッション材とその前面カバーを備えた歯科用治療椅子において、前記クッション材とカバーとの間に、複数の膨張縮小自在のエアバックを左右及び上中下の区画内に配設してなり、前記複数のエアバックは、一隅に固設されたエアチューブと、該チューブの延長先に接続されるエア導入調整用の開閉電磁弁及び逆止弁と、排気用の開閉電磁弁を有してなり、さらに、前記、背もたれの背面板下部の空隙内に配設された幹線エアチューブ及び分岐エアチューブと、開閉電磁弁及び逆止弁と、排気用の開閉電磁弁と、制御用信号線を収納するエア分配器と、前記複数のエアバックに接続されている開閉電磁弁を個々にリモートコントロールする複数の操作スイッチと、幹線の開閉電磁弁の操作スイッチを収納する操作ボックスを備えてなり、前記エア導入調整用の開閉電磁弁の片側はエアチューブの幹線に並列に接続されて、前記エア分配器の一端より導出され、さらに前記エアチューブの幹線は、開閉電磁弁を経由して歯科用治療椅子のエア供給部に接続され、また、前記制御用信号線は多芯ケーブルでエアの分配器の１端から導出され、操作ボックスに接続されてなることを特徴とする歯科用治療椅子。
（２）背もたれにエアバックを備えた歯科用治療椅子において、操作ボックスの複数の操作スイッチを個々に操作することにより、対応する各エアバックを膨張または縮小させ、患者に合わせて当接する背もたれの各部分を調節することができることを特徴とする前項（１）に記載の歯科用治療椅子。
（３）背もたれにエアバックを備えた歯科用治療椅子において、エアバックを調節する動力源が歯科用治療椅子に常設されているエアであることを特徴とする前項（１）又は（２）に記載の歯科用治療椅子。
【発明の効果】
【０００５】
１、本発明の請求項１及び２の発明によれば、
内側に空隙を有する湾曲した背もたれの背面板と、該背面板に配設された背板とクッション材とその前面カバーを備えた歯科用治療椅子において、前記クッション材とカバーとの間に、複数の膨張縮小自在のエアバックを左右及び上中下の区画内に配設してなり、前記複数のエアバックは、一隅に固設されたエアチューブと、該チューブの延長先に接続されるエア導入調整用の開閉電磁弁及び逆止弁と、排気用の開閉電磁弁を有してなり、さらに、前記、背もたれの背面板下部の空隙内に配設された幹線エアチューブ及び分岐エアチューブと、開閉電磁弁及び逆止弁と、排気用の開閉電磁弁と、制御用信号線を収納するエア分配器と、前記複数のエアバックに接続されている開閉電磁弁を個々にリモートコントロールする複数の操作スイッチと、幹線の開閉電磁弁の操作スイッチを収納する操作ボックスを備えてなり、前記エア調整用の開閉電磁弁の基部はエアチューブの幹線に並列に接続されて、前記エア分配器の一端より導出され、さらに前記エアチューブの幹線は、開閉電磁弁を経由して歯科用チェアユニットのエア供給部に接続され、また、前記制御用信号線は多芯ケーブルで同様にエアの分配器の１端から導出され、操作ボックスに接続されてなるため、
【０００６】
施術者は治療に先立って歯科用治療椅子の背もたれを調整し、特殊体型の患者、例えば、背骨が前屈したり、左右のバランスが崩れた高齢者等の体型に合わせて、背中に当接する複数の個所のエアバックを操作ボックスによるリモコンにより凸凹（膨張・縮小）させて、フィットさせることができる。
また、例えば、背の低い幼児等には上段左右のエアバックを膨張させ、他を縮小させてヘッドレストとして使用することができる。
さらに、操作スイッチにより各エアバックの調整は簡単に行うことができる。そして、エアバックを使用しない時は、全部のエアバックを縮小して、通常の治療椅子として使用することができる。
２、請求項３の発明によれば、
背もたれ内のエアバックを調節する動力源が、歯科用治療椅子に常設されているエアであるため、分岐して容易にエアバックに接続することができる。
【発明を実施するための最良の形態】
【０００７】
発明を実施するための最良の形態を図面に基づいて以下に説明する。
図１はエアバックを備えた歯科用治療椅子の背もたれの一部破断面・外観斜視図である。
図において、１はエアバックを備えた歯科用治療椅子、２は背もたれの背面板、３は背板、４はクッション材、５はエアバック、６は前面カバー、７はエアチューブ、８は分配器、９は操作ボックス、１０は制御信号線、１１は幹線エアチユーブ、１２はヘッドレスト、１３は座部、１４は足掛け、１５はスピットン、１６はライトポール、１７はブラケットテーブル、１８はアシスタント用テーブルを示す。
図に示したように、エアバック５は、前記クッション材４とカバー６との間に、上中下左右の区画内に計６ヶ配設されており、その１偶にはエアチューブ７が固設されている。
前記エアバック５は例えば伸縮性のあるゴム状の袋で、その上部はカバー６に、底部はクッション材４に接着されて、さらに背板３に繋着されている（後記）、
また、前記エアチューブ７は一隅に固設されたエアチューブ７を有し、
該エアチューブ７の延長の端部は、後記エア導入調整用の開閉電磁弁及び逆止弁と、排気用の開閉電磁弁（図６）に接続され、エア分配器８に収納されている。
そして、ここから幹線エアチューブ１１を経由して歯科用治療椅子１の、エア供給部（図示せず）及び、制御信号線１０を経由してスピットン１５の側面に掛止された操作ボックス９に接続されている。
以下、上記エアバックを備えた歯科用治療椅子の背もたれの詳細について説明する。
【０００８】
図２は膨張時のエアバックを備えた背もたれの透視・断面図で、
（イ）は（ハ）図上部エアバックセンター下部の平面断面図
（ロ）は（ハ）図左側エアバックセンターの左側断面図
（ハ）はカバーを透視した正面図
（ニ）は（ハ）図右側エアバックセンターの右側断面図
（ホ）は下部エアバックセンターの下部断面図である。
図において、５ａは膨張時のエアバック、７’は出入り口、１９はエアバック表面の接着部、２０はエアバック底面の接着部、２０’はクッション材貫通孔、２１は留め具、２２は背板連結具、２３は背板掛着部、５５はエアチューブ通し孔を示す。
図３は縮小時のエアバックを備えた背もたれの透視・断面図で、
（イ）は（ハ）図上部エアバックセンター下部の平面断面図
（ロ）は（ハ）図左側エアバックセンターの左側断面図
（ハ）はカバーを透視した正面図
（ニ）は（ハ）図右側エアバックセンターの右側断面図
（ホ）は下部エアバックセンターの下部断面図である。
図において、５ｂは縮小時のエアバックを示す。
【０００９】
図２に示したように、膨張時のエアバック５ａは、前記クッション材と４と前面カバー６との間に、上中下左右の区画内に計６ヶ配設されており、その１偶にはエアチューブ７が出入り口７’のように固設されている（ハ）図。
前記膨張時のエアバック５ａは例えば伸縮性のあるゴム状の袋で、その上部は前面カバー６に、底部はクッション材４に接着され、さらに背板連結具２２をクッション材貫通孔２０’を通して背板３に留め具２１によって固着している（ロ）・（ニ）図。
該エアチューブ７の延長の端部は、後記エア導入調整用の開閉電磁弁及び逆止弁と、排気用の開閉電磁弁（図６）に接続され、前記背もたれ背面板２内側の空隙部に配設されたエア分配器８に収納されている。
そして、ここから幹線エアチューブ１１を経由して歯科用治療椅子１の、エア供給部（図示せず）及び、制御信号線１０を経由してスピットン１５の側面に掛止された操作ボックス９に接続されている。
【００１０】
また、前記膨張時のエアバック５ａとクッション材４と前面カバー６を含む背もたれ部は、前記背もたれ背面板２から突出した受け具と、背板３から突出した掛具とからなる背板掛着部２３により掛着される。
そして、エアバック３を被覆する前面カバー６は伸縮性の素材及び縫代に余裕を持たせた構造になっており、凸凹に追随することができる。
【００１１】
図示したように、幹線エアチューブ１１から分配器８経由開閉電磁弁（後記）からエアチューブ７を通り出入り口７’から各のエアバックに導入されるエアにより、膨張時のエアバック５ａのように膨張し、前面カバー６は手前（前方）に突出する。
この時、膨張時のエアバック５ａは前記エアバック表面の接着部１９で前面カバー６に、またエアバック底面の接着部２０及び背板連結具２２でエアバックの背板３に留め具２１でそれぞれ固着されているので、ずれが生ずることはない。
【００１２】
図３に示したように、縮小時のエアバック５ｂは、排気用の開閉電磁弁（後記）によって排気されると縮小したエアバック５ｂのように縮小し、カバー６は後方に凹む。
この時、縮小時のエアバック５ｂは前記エアバック表面の接着部１９で前面カバー６に、
またエアバック底面の接着部２０及び背板連結具２２でエアバックの背板３に留め具２１でそれぞれ固着されているので、カバー６はエアバック３の縮小に追随する。
【００１３】
図２及び図３に示したように、エアバック５は各を操作によって膨張または縮小できるので、その組み合わせによって所要の凹凸を生成することができる。
例えば、上部の左右２ケを膨張させ、他を縮小させれば前記幼児のバックレストにすることができ、あるいは各個所を特殊体型の患者の背部に合わせて調節することによりフィットさせることができる。
【００１４】
図４はエア分配器の外観斜視図である。
図において、１１’は分配器コネクタ、１０’は制御線コネクタを示す。
本器は、前記背もたれの背面板２の内側の空隙部に配設される。
図５は操作ボックスの外観斜視図である。
図において、２４はボックス側制御線コネクタ、２５は吊り手、２６、２７、２８、２９、３０、３１はエアバックに対応した２極型ＯＮ、ＯＦＦスイッチ、３２、３３は幹線用ＯＮ、ＯＦＦスイッチを示す。
本器は、前記スピットン１５の側面に吊設して使用する。
【００１５】
図６は、エアバックを備えた歯科用治療椅子のブロック図である。
図において、３４、３７、４０、４３、４６、４９、はエア導入調整用の開閉電磁弁、３６、３９、４２、４５、４８、５１は排気用の開閉電磁弁、３５、３８、４１、４４、４７、５０は逆止弁、５２はエア幹線用の開閉電磁弁、５３は過剰圧エア排出器、５４は電源ラインを示す。
【００１６】
配設された６ケのエアバック５には、エアチューブ７経由エア出入口７’からエアが出し入れされ膨張または縮小する。
上記エアの操作制御は、次のようにして行われる。
まず、幹線エアチューブ１１を操作ボックス９の操作スイッチであるエア幹線用ＯＮ、ＯＦＦスイッチ３２によりエア幹線用の開閉電磁弁５２を開きエアを導入する。
次ぎに所要のエアバック５に対応する操作スイッチの２極型ＯＮ、ＯＦＦスイッチを操作する。
【００１７】
例えば、左上方のエアバックであれば、２極型ＯＮ、ＯＦＦスイッチ２６の１極をＯＮにし、エア導入調整用の開閉電磁弁４０を開くと、逆止弁４１を経由し、エアが導入され前記エアバックが膨張する。
限度を超えると、各エアバック５に配設されている例えばバネと弁からなる過剰圧エア排出器５３がリミッターとして作動する。
従って、エアの導入の調節は前記２極型ＯＮ、ＯＦＦスイッチ２６の作動時間に比例する。
また、エアを抜きたい時は、同様に前記２極型ＯＮ、ＯＦＦスイッチの他の１極をＯＮにし、排気用開閉電磁弁４２を開いて外部に排気して調整する。
なお、２極型ＯＮ、ＯＦＦスイッチの中点はＯＦＦで、ボタンから指を放すと自動復帰する。
【００１８】
上記は１ケのエアバック５の系統の作動について述べたが、他のエアバック５も同様にして、任意に膨張または縮小することができる。
幹線エアチューブ１１からのエアの供給を停止する時には、幹線用ＯＮ、ＯＦＦスイッチ３３を押してＯＦＦにし前記開閉電磁弁５２を閉にする。
なお、幹線用ＯＮ、ＯＦＦスイッチ３２、３３は直列とし、３２をＯＮ用、３３をＯＦＦ用とすれば操作が簡単である。
【００１９】
また、本器の背もたれ内のエアバックを調節する動力源のエアは、歯科用治療椅子においてはエアタービン、スリーウェイシリンジ等のハンドピースに使用されるエアが常設されているため、分岐して容易にエアバックに接続することができる。
【図面の簡単な説明】
【００２０】
【図１】エアバックを備えた歯科用治療椅子の背もたれの一部破断面・外観斜視図
【図２】膨張時のエアバックを備えた背もたれの透視・断面図
【図３】縮小時のエアバックを備えた背もたれの透視・断面図
【図４】エア分配器の外観斜視図
【図５】操作ボックスの外観斜視図
【図６】エアバックを備えた歯科用治療椅子のブロック図
【符号の説明】
【００２１】
１：エアバックを備えた歯科用治療椅子
２：背もたれの背面板                  ２ａ：空隙
３：背板                              ４：クッション材
５：エアバック                        ６：前面カバー
７：エアチューブ                      ７’：エア出入り口
８：分配器                            ９：操作ボックス
１０：制御信号線                      １１：幹線エアチユーブ
１１’：分配器コネクタ                １２：ヘッドレスト
１３：座部                            １４：足掛け
１５：スピットン                      １６：ライトポール
１７：ブラケットテーブル              １８：アシスタント用テーブル
１９：エアバック表面の接着部          ２０：エアバック底面の接着部
２０’：クッション材貫通孔            ２１：留め具
２２：背板連結具、                    ２３：背板掛着部
２４：ボックス側制御線コネクタ        ２５：吊り手
２６〜３１：２極型のＯＮ、ＯＦＦスイッチ
３２、３３：幹線用ＯＮ、ＯＦＦスイッチ
３４、３７、４０、４３、４６、４９：エア導入調整用の開閉電磁弁
３６、３９、４２、４５、４８、５１：排気用の開閉電磁弁
３５、３８、４１、４４、４７、５０：逆止弁
５２：エア幹線用の開閉電磁弁          ５３：過剰圧エア排出器
５４：電源ライン                      ５５：エアチューブ通し孔
【図１】
2005270212.tif 000003
【図２】
2005270212.tif 000004
【図３】
2005270212.tif 000005
【図４】
2005270212.tif 000006
【図５】
2005270212.tif 000007
【図６】
2005270212.tif 000008